(57)【要約】【課題】かご室の天井部周りの大掛かりな改修を要することなく、長寿命の冷陰極蛍光ランプを用いてかご室内を良好な意匠性を保って照明することができるエレベータの照明装置を提供する。【解決手段】冷陰極蛍光ランプ２８と、この冷陰極蛍光ランプ２８を点灯させる安定器３０と、この安定器３０に入力する電圧を所定の電圧に変換する変電圧器３１とをそれぞれユニットケース２３に据え付けて一体的な照明ユニット２０を構成し、この照明ユニット２０をエレベータのかご室の天井部に取り付ける。照明ユニット２０には、冷陰極蛍光ランプ２８と併せて安定器３０、変電圧器３１が一体的に組み込まれているから、既存のかご室であっても、その照明ユニットを取り付けて簡単に冷陰極蛍光ランプ２８を用いる照明形態に改修することができる。【選択図】　　図１
2004131264.tif 000002
【特許請求の範囲】
【請求項１】
冷陰極蛍光ランプと、この冷陰極蛍光ランプを点灯させる安定器と、この安定器に入力する電圧を所定の電圧に変換する変電圧器とをそれぞれユニットケースに据え付けて一体的な照明ユニットを構成し、この照明ユニットをエレベータのかご室の天井部に取り付けてなることを特徴とするエレベータの照明装置。
【請求項２】
冷陰極蛍光ランプと、この冷陰極蛍光ランプを点灯させる安定器とをそれぞれユニットケースに据え付けて一体的な照明ユニットを構成し、この照明ユニットをエレベータのかご室の天井部に取り付け、前記安定器に対する入力電圧をかご室の表示装置の使用電圧と同じにし、その表示装置に用いられている変電圧器を前記安定器に対する変電圧器として兼ねることを特徴とするエレベータの照明装置。
【請求項３】
１つの照明ユニットの照度は、１つの通常の熱陰極蛍光ランプの照度と同等か１／２となっていることを特徴とする請求項１または２に記載のエレベータの照明装置。
【発明の詳細な説明】
【０００１】
【発明の属する技術分野】
この発明は、エレベータのかご室内を照明する照明装置に関する。
【０００２】
【従来の技術】
図４にはエレベータのかご室１の構成を示してあり、このかご室１は、かご床２と、このかご床２の上の四方を囲む側板３と、これら側板３の上端部に設置された天板４とを備えている。
【０００３】
天板４の下面は天井部４ａとなっており、この天井部４ａに照明箱５が取り付けられている。この照明箱５は下側に大きな開口部６を有し、この開口部６に光透過性の例えば合成樹脂で形成された照明板７が設けられている。
【０００４】
照明箱５の内側の領域における天井部４ａにはソケット１０を介して複数本のランプ１１が設けられ、これらランプ１１の光が照明板７を透過してかご室１内に入射し、この光でかご室１内が所定の照度に照明されるようになっている。
【０００５】
なお、かご室１の正面側の側板３には出入口１５が形成され、この出入口１５にその開閉用のドア１６ａ，１６ｂが設けられている。また、１７は出入口１５の上部側に設けられて幕板で、１８は側板３の下部に設けられた巾木である。
【０００６】
従来、ランプ１１としては、一般家庭用の熱陰極蛍光ランプ（２０Ｗ〜４０Ｗ）が用いられている。
【０００７】
【発明が解決しようとする課題】
かご室１内の意匠性はその内部の照明に依存するところが大きく、ランプ１１によりかご室１内を常時所定の照度に保つことが重要となる。
【０００８】
ところが、ランプ１１として使用されている通常一般の熱陰極蛍光ランプにあっては、その点灯・消灯の繰り返しにより寿命が短くなる特性がある。その理由は、蛍光ランプの始動時には過電流が必要で、その過電流によって陰極が次第に損傷されるからである。
【０００９】
このため、従来においては、比較的早期にランプ１１が寿命に達し、かご室１内の照度が低下したり照明むらが生じて意匠性が低下してしまう。これを避けるためは、ランプ１１を比較的頻繁に交換する必要が生じ、保守が面倒となってしまう。
【００１０】
ところで、寿命の長いランプとして、冷陰極蛍光ランプが一般に知られている。そこで、冷陰極蛍光ランプをかご室内の照明用ランプとして使用することが考えられる。
【００１１】
しかしながら、一般の熱陰極蛍光ランプの使用電圧が交流の１００Ｖであるのに対し、冷陰極蛍光ランプの使用電圧は通常、直流の２４Ｖであり、したがってかご室１の天井部４ａに設けられている既存の熱陰極蛍光ランプに替えて冷陰極蛍光ランプを用いる場合には、そのランプの取り替えのみでなく、その降圧用の変電圧器や点灯用の安定器を個々に天井部４ａに据え付けなければならず、このためその配置、配線回し、容量計算等に労力を要し、かご室の天井部周りの大掛かりな改修が必要となってしまうことになる。
【００１２】
この発明はこのような点に着目してなされたもので、その目的とするところは、かご室の天井部周りの大掛かりな改修を要することなく、長寿命の冷陰極蛍光ランプを用いてかご室内を良好な意匠性を保って照明することができるエレベータの照明装置を提供することにある。
【００１３】
【課題を解決するための手段】
請求項１に記載の発明は、冷陰極蛍光ランプと、この冷陰極蛍光ランプを点灯させる安定器と、この安定器に入力する電圧を所定の電圧に変換する変電圧器とをそれぞれユニットケースに据え付けて一体的な照明ユニットを構成し、この照明ユニットをエレベータのかご室の天井部に取り付けてなることを特徴としている。
【００１４】
請求項２に記載の発明は、冷陰極蛍光ランプと、この冷陰極蛍光ランプを点灯させる安定器とをそれぞれユニットケースに据え付けて一体的な照明ユニットを構成し、この照明ユニットをエレベータのかご室の天井部に取り付け、前記安定器に対する入力電圧をかご室の表示装置の使用電圧と同じにし、その表示装置に用いられている変電圧器を前記安定器に対する変電圧器として兼ねることを特徴としている。
【００１５】
請求項３に記載の発明は、前記１つの照明ユニットの照度が、１つの通常の熱陰極蛍光ランプの照度と同等か１／２となっていることを特徴としている。
【００１６】
【発明の実施の形態】
以下、この発明の一実施形態について図１ないし図３を参照して説明する。なお、従来の構成と対応する部分には同一符号を付して重複する説明を省略する。
【００１７】
図１には照明ユニット２０の平断面図を、図２には照明ユニット２０の側断面図を、図３には照明ユニット２０をかご室１の天井部に取り付けた状態の構成図をそれぞれ示してある。
【００１８】
照明ユニット２０は、図１および図２に示すように、反射板２１と透光板２２とならなるユニットケース２３を備え、このユニットケース２３は例えば扁平な箱型に構成されている。
【００１９】
すなわち、反射板２１は下面に開口部２４を有する薄箱型状をなし、前記開口部２４に光透過性の例えば合成樹脂で形成された前記透光板２２が設けられている。
【００２０】
反射板２１の下面の両端部には、一対の支持台２７が互いに対向して取り付けられ、これら支持台２７間に複数本、例えば５本の直管形の冷陰極蛍光ランプ２８が互いに所定の間隔をあけて平行に架設されている。
【００２１】
反射板２１の下面の一側部には、インバータ機能を有する安定器３０、および交流１００Ｖを直流２４Ｖの電圧に変換する変電圧器３１が取り付けられている。そして前記各冷陰極蛍光ランプ２８と安定器３０と変電圧器３１とが配線３２を介して電気的に接続され、配線３２の端部が反射板２１に形成された配線穴３３を通して反射板２１の上面側に導出されている。また、反射板２１の四隅にはビス穴３４が形成されている。
【００２２】
前記冷陰極蛍光ランプ２８は、１ｍｍ〜６ｍｍ程度の直径を有する透光性放電容器と、この放電容器の両端部に封止された一対の冷陰極（図示せず）と、放電容器の内面に塗布された蛍光体（図示せず）と、放電容器内に封入された放電媒体（図示せず）とを備えている。この冷陰極蛍光ランプ２８は、陰極が加熱されることなく発光するため、点灯・消灯の回数によって寿命が左右されることはなく、単に発光時間に起因する要素だけで寿命が決まるという特性をもっている。また、この冷陰極蛍光ランプ２８は、電圧を印加すると即点灯し、発光までの時間的な遅れがないことも特徴の１つとなっている。
【００２３】
このような照明ユニット２０を図４に示す既存のかご室１に設置する際には、まずその既存のかご室１の天板４の下面に取り付けられている複数の熱陰極蛍光ランプ１１およびそのソケット１０を取り外す。なお、かご室１の照明箱５はそのまま残しておく。
【００２４】
次に、前記各蛍光ランプ１１に替えてかご室１の天板４の下面つまり天井部４ａに、図３に示すように前記構成の複数の照明ユニット２０を取り付ける。
【００２５】
各照明ユニット２０を天井部４ａに取り付ける際には、反射板２１の四隅に形成されているビス穴３４にビス（図示せず）を挿入し、そのビスで反射板２１を天井部４ａに固定する方法で取り付ける。
【００２６】
また、各照明ユニット２０を天井部４ａに取り付ける際には、その各照明ユニット２０における配線３２をかご室１の電源系統の配線（図示せず）に接続する。
【００２７】
これにより各照明ユニット２０の取り付け作業が完了する。
【００２８】
エレベータの運転時には、配線３２を通して交流１００Ｖの電源が変電圧器３１に供給され、その電圧が変電圧器３１により直流２４Ｖに変換され、この直流２４Ｖの電源が安定器３０に供給される。そして安定器３０による制御で各冷陰極蛍光ランプ２８が点灯し、所定の波長を有する光が放射される。
【００２９】
放射された光の一部は透光板２２を直接透過し、他の一部は反射板２１で反射して透光板２２を透過する。透光板２２を透過した光は、さらに照明板７を透過してかご室内１に入射し、この光によりかご室１内が所定の照度となるように照明される。
【００３０】
各照明ユニット２０はその光源として冷陰極蛍光ランプ２８を用いており、このためその長寿命化を図ることができる。これは、冷陰極蛍光ランプ２８が従来の熱陰極蛍光ランプのように通電により高温となる陰極をもたず、したがって陰極の断線等の問題が生じないからである。
【００３１】
熱陰極蛍光ランプの寿命は約６０００時間であるが、これに対し冷陰極蛍光ランプは約５００００時間の寿命を有し、その寿命の長さは熱陰極蛍光ランプの約１０倍である。
【００３２】
さらに、冷陰極蛍光ランプ２８の寿命は、点灯・消灯の回数に依存せず、この点も長寿命を達成できる一因である。熱陰極蛍光ランプにあっては、点灯・消灯の回数によって寿命が短くなる特性があり、このため約６０００時間の寿命をもっていたとしても、点灯・消灯の回数が増すとさらに寿命が短くなる。
【００３３】
このように、光源としての冷陰極蛍光ランプ２８の寿命が長くなることにより、かご室１の照明装置に対する保守点検作業やランプ交換作業の回数を大幅に減少でき、保守コストを軽減することできる。また、冷陰極蛍光ランプ２８は光むらが少なく、このためかご室１内の照明に関する意匠性をより高めることができる。
【００３４】
一方、かご室１に据え付ける照明ユニット２０は、複数の冷陰極蛍光ランプ２８と共に、その支持用の支持台２７や点灯用の安定器３０、変電圧器３１等を一体的に備えるユニット構造に構成されており、したがって既存のかご室１の熱陰極蛍光ランプに替えて冷陰極蛍光ランプ２８を設ける場合に、単にそのユニット構造の照明ユニット２０をかご室１の天井部４ａを取り付けるだけで、個々に安定器３０や変電圧器３１を据え付けたり、その配線３２を引き回すような面倒で煩わしい手間を何ら要することなく、容易に能率よくその作業を達成することができる。また、かご室１内の既存の照明箱５も特に改修等の手を加えることなくそのまま利用することができる。
【００３５】
ところで、１つの照明ユニット２０における照度、つまりユニットケース２３に配設されている複数本の冷陰極蛍光ランプ２８の照度の和が、通常の例えば３０Ｗの熱陰極蛍光ランプの１本の照度と同等か、もしくは１／２となるように設定することが好ましい。
【００３６】
１つの照明ユニット２０における照度と通常の３０Ｗの熱陰極蛍光ランプの１本の照度とが同等となるように設定した場合には、既存のかご室１に３０Ｗの熱陰極蛍光ランプが５本設けられているときに、その５本の熱陰極蛍光ランプに替えて５つの照明ユニット２０をかご室１の天井部４ａに取り付ければ、かご室１内を設計通りの所定の照度で照明することができ、その容量計算が容易となる。
【００３７】
また、１つの照明ユニット２０における照度が通常の３０Ｗの熱陰極蛍光ランプの１本の照度の１／２となるように設定した場合には、既存の熱陰極蛍光ランプに替えてその２倍の数の照明ユニット２０をかご室１の天井部４ａに取り付ければ、かご室１内を設計通りの所定の照度で照明することができ、その容量計算が容易となる。
【００３８】
また、前記実施形態においては、照明ユニット２０内に安定器３０と併せて変電圧器３１を組み込むようにしたが、安定器３０に対する入力電圧を、かご室１に設けられている押しボタンやインターホン等の表示装置の使用電圧と同じにすれば、その表示装置に用いられている変電圧器を照明ユニット２０の変電圧器として兼用し、照明ユニット２０内への変電圧器を省略することができる。
【００３９】
【発明の効果】
以上説明したようにこの発明によれば、かご室の天井部周りの大掛かりな改修を要することなく、長寿命の冷陰極蛍光ランプを備える照明ユニットを用いてかご室内を良好な意匠性を保って照明することができる。
【図面の簡単な説明】
【図１】この発明の一実施形態に係るエレベータの照明装置の照明ユニットを示す平断面図。
【図２】図１に示す照明ユニットの側断面図。
【図３】図１に示す照明ユニットをかご室の天井部に取り付けた状態の構成図。
【図４】従来のエレベータの照明装置を示す構成図。
【符号の説明】
１…かご室
４…天板
４ａ…天井面
５…照明箱
７…照明板
２０…照明ユニット
２１…反射板
２２…透光板
２３…ユニットケース
２７…支持台
２８…冷陰極蛍光ランプ
３０…安定器
３１…変電圧器
３２…配線
【図１】
2004131264.tif 000003
【図２】
2004131264.tif 000004
【図３】
2004131264.tif 000005
【図４】
2004131264.tif 000006